(57)【要約】【課題】  非使用時には縦横の両寸法を縮小することができ、使用時には簡易に元の形状に戻すことができる、極めて高い携帯性を有するスクリーンを提供すること。【解決手段】  スクリーン１０を使用する場合、折り畳んだスクリーン１０を展開し広げる。展開したスクリーン１０は、図１の取付け具２０を利用して壁等に掛けることができる。この際、スクリーン１０の折畳時に形成された折り目１０ａが残る可能性がある。このような折り目１０ａは、画像の歪みとして観察され好ましくないので、スクリーン１０の折り目等にドライヤ等で熱を与える。この結果、スクリーン１０本体基材１１に格子状に埋め込まれた線状体１１ｄが加熱され、元の形状に復帰するので、スクリーン１０が折り目１０ａを含んで全体的に平坦化される。このようなスクリーン１０に画像を投影すれば、局所的歪みのない美しい画像が全面に形成される。【選択図】  図１
2006053289.tif 000002
【特許請求の範囲】
【請求項１】
可撓性を有し折畳可能であるとともに、展開後に熱及び光の少なくとも一方によって平坦性を高めることが可能なシート状の本体基材と、
前記本体基材の主面の少なくとも一方に設けられて、入射光を所定のランダム性を有する反射特性で反射する反射手段と
を備えるスクリーン。
【請求項２】
前記本体基材は、形状保持性を有する２次元組織状の平坦化手段を前記主面に沿って有し、当該平坦化手段は、前記本体基材の折畳時に、前記本体基材とともに折り畳まれ、前記本体基材の展開時に、前記本体基材を所定の力で平坦にすることができることを特徴とする請求項１記載のスクリーン。
【請求項３】
前記平坦化手段は、所定の条件で元の形状に戻る形状記憶合金、若しくは、所定以上の圧縮力によって元の形状に復帰可能に畳むことができる超剛性金属で形成されていることを特徴とする請求項２記載のスクリーン。
【請求項４】
可撓性を有し折畳可能であるシート状の本体基材と、
前記本体基材の主面の少なくとも一方に設けられて、入射光を所定のランダム性を有する反射特性で反射する反射手段と、
前記本体基材の周縁のうち少なくとも対向する一対の縁部分に取り付けられるとともに、前記本体基材の展開時に、当該本体基材を所定の張力で平坦に支持可能であり、前記本体基材の折畳時に、当該本体基材とともに折り畳まれる平坦化手段と
を備えるスクリーン。
【請求項５】
前記平坦化手段は、前記本体基材の展開時に、前記本体基材を周囲から引っ張ってしわを伸ばす枠状支持体となることを特徴とする請求項４記載のスクリーン。
【請求項６】
前記平坦化手段は、前記枠状支持体として、所定の空気圧によって直線状に延びるエアチューブを少なくとも一部に有することを特徴とする請求項５記載のスクリーン。
【請求項７】
前記平坦化手段は、前記枠状支持体として、空気圧によって直線形状を維持可能な複数のエアチューブと、形状保持性を有するとともに、前記本体基材の折畳時に、当該本体基材とともに折り畳まれ、前記本体基材の展開時に、前記複数のエアチューブを所定力で互いに離間させて保持することができる伸張部材とを備えることを特徴とする請求項６記載のスクリーン。
【請求項８】
前記平坦化手段は、形状保持性を有するとともに、前記本体基材の折畳時に、前記本体基材とともに折り畳まれ、前記本体基材の展開時に、当該本体基材を所定の力で周囲から引っ張る金属部材であることを特徴とする請求項５記載のスクリーン。
【請求項９】
前記金属部材は、所定の条件で元の形状に戻る形状記憶合金、若しくは、所定以上の圧縮力によって元の形状に復帰可能に畳むことができる超剛性金属であることを特徴とする請求項８記載のスクリーン。
【請求項１０】
前記枠状支持体は、前記本体基材の展開時に、当該本体基材を支持して自立可能であることを特徴とする請求項５記載のスクリーン。
【請求項１１】
前記本体基材は、少なくとも周囲部分が伸縮可能な材料で形成されており、前記平坦化手段は、前記本体基材の外周のうち前記対向する一対の縁部分を含む複数箇所からそれぞれ延びる複数の連結部と、当該複数の連結部の先端側にそれぞれ取り付けられるとともに設置環境に固定された設置物に係止可能な複数の係止手段とを備えることを特徴とする請求項４記載のスクリーン。
【発明の詳細な説明】
【技術分野】
【０００１】
本発明は、動画や静止画を表示可能とするためのスクリーンであって、特に携帯性を高めたタイプのスクリーンに関する。
【背景技術】
【０００２】
スクリーンに直線形状を記憶させた形状記憶合金と渦巻き形状を記憶させた形状記憶合金とを交互に組み込み、通電により、スクリーンをロール状に巻き込んだり、スクリーンを平坦に伸張したりすることができる装置が知られている（特許文献１参照）。
【０００３】
また、所定の形状を記憶した形状記憶合金を矩形のスクリーンの４辺と対角線とに設け、ヒータによって形状記憶合金を加熱することによって、スクリーンの形状を平坦面から曲面に変換するものが存在する（特許文献２参照）。
【０００４】
また、スクリーンとコンバイナと投射光学系とを備える頭部装着用の小型映像表示装置であって、スクリーンが柔軟で変形可能であり、コンバイナと投射光学系を支持する天板との連結部分が折り畳み可能で、非使用時に小型化できるものが存在する（特許文献３参照）。
【特許文献１】実開平２−６７３２５号公報
【特許文献２】特開平５−２９７４６６号公報
【特許文献３】特開２００１−１３４４７号公報
【発明の開示】
【発明が解決しようとする課題】
【０００５】
しかしながら、上記第１の技術において、直線形状と渦巻き形状とを記憶させた形状記憶合金を用いたスクリーンは、ロール状に巻き込むだけであり、スクリーンの横幅が減少することはないので、ロール状に巻き込んだ状態でも十分な携帯性を有するとはいい得ない。
【０００６】
また、上記第２の技術において、形状記憶合金を備えたスクリーンは、平坦面と曲面との間で可逆的に変形するだけであり、スクリーンの全体輪郭がほとんど変化せず、いずれの状態においても十分な携帯性を有しない。
【０００７】
また、上記第３の技術において、柔軟で変形可能なスクリーンは、上辺が天板に支持されるとともに下辺がコンバイナに支持されており、スクリーンの横幅が減少することはないので、スクリーンの小型化にやはり限界がある。
【０００８】
そこで、本発明は、非使用時には縦横の両寸法を縮小することができ、使用時には簡易に元の形状に戻すことができる、極めて高い携帯性を有するスクリーンを提供することを目的とする。
【課題を解決するための手段】
【０００９】
上記課題を解決するため、本発明に係る第１のスクリーンは、（ａ）可撓性を有し折畳可能であるとともに、展開後に熱及び光の少なくとも一方によって平坦性を高めることが可能なシート状の本体基材と、（ｂ）本体基材の主面の少なくとも一方に設けられて、入射光を所定のランダム性を有する反射特性で反射する反射手段とを備える。
【００１０】
上記スクリーンでは、本体基材が、可撓性を有し折畳可能であるとともに、展開後に熱及び光の少なくとも一方によって平坦性を高めることが可能であるので、携帯時にはスクリーンを折り畳むことができる。また、使用時には、スクリーンを展開するとともに熱や光によって本体基材を平坦化できるので、本体基材に支持された平坦性を有する反射手段に所望の画像を投射することができる。
【００１１】
また、本発明の具体的態様では、上記第１のスクリーンにおいて、本体基材が、形状保持性を有する２次元組織状の平坦化手段を主面に沿って有し、当該平坦化手段が、本体基材の折畳時に、本体基材とともに折り畳まれ、本体基材の展開時に、本体基材を所定の力で平坦にすることができる。この場合、形状保持性を有する２次元組織状の平坦化手段によって、スクリーン全体に亘って平坦化を達成することができる。
【００１２】
また、本発明の別の具体的態様では、平坦化手段が、所定の条件で元の形状に戻る形状記憶合金、若しくは、所定以上の圧縮力によって元の形状に復帰可能に畳むことができる超剛性金属で形成されている。この場合、形状記憶合金や超剛性金属の性質を利用して復元可能にスクリーンを折り畳むことができ、折畳や展開の作業性を簡易に高めることができる。
【００１３】
また、本発明に係る第２のスクリーンは、（ａ）可撓性を有し折畳可能であるシート状の本体基材と、（ｂ）本体基材の主面の少なくとも一方に設けられて、入射光を所定のランダム性を有する反射特性で反射する反射手段と、（ｃ）本体基材の周縁のうち少なくとも対向する一対の縁部分に取り付けられるとともに、本体基材の展開時に、当該本体基材を所定の張力で平坦に支持可能であり、本体基材の折畳時に、当該本体基材とともに折り畳まれる平坦化手段とを備える。
【００１４】
上記スクリーンでは、本体基材の周縁のうち少なくとも対向する一対の縁部分に取り付けられた平坦化手段が、本体基材の展開時には、当該本体基材を所定の張力で平坦に支持可能であり、本体基材に支持された平坦性を有する反射手段に所望の画像を投射することができる。また、本体基材の折畳時には、当該本体基材とともに折り畳まれるので、スクリーンを簡易に小型化して携帯性を高めることができる。
【００１５】
また、本発明の具体的態様では、上記第２のスクリーンにおいて、平坦化手段が、本体基材の展開時に、本体基材を周囲から引っ張ってしわを伸ばす枠状支持体となる。この場合、本体基材を簡易な機構によって比較的均一に平坦化することができる。
【００１６】
また、本発明の別の具体的態様では、平坦化手段が、枠状支持体として、所定の空気圧によって直線状に延びるエアチューブを少なくとも一部に有する。この場合、エアチューブを利用して伸縮自在のスクリーンを提供することができる。
【００１７】
また、本発明の別の具体的態様では、平坦化手段が、枠状支持体として、空気圧によって直線形状を維持可能な複数のエアチューブと、形状保持性を有するとともに、本体基材の折畳時に、当該本体基材とともに折り畳まれ、本体基材の展開時に、複数のエアチューブを所定力で互いに離間させて保持することができる伸張部材とを備える。この場合、エアチューブと伸張部材を利用して復元自在にスクリーンを折り畳むことができる。この伸張部材は、超剛性金属その他の金属部材で形成することができる。
【００１８】
また、本発明の別の具体的態様では、平坦化手段が、形状保持性を有するとともに、本体基材の折畳時に、本体基材とともに折り畳まれ、本体基材の展開時に、当該本体基材を所定の力で周囲から引っ張る金属部材である。この場合、本体基材を簡易な機構によって比較的均一に平坦化することができる。
【００１９】
また、本発明の別の具体的態様では、金属部材が、所定の条件で元の形状に戻る形状記憶合金、若しくは、所定以上の圧縮力によって元の形状に復帰可能に畳むことができる超剛性金属である。この場合、形状記憶合金や超剛性金属の性質を利用して、折畳や展開の作業性を簡易に高めることができる。
【００２０】
また、本発明の別の具体的態様では、枠状支持体が、本体基材の展開時に、本体基材を支持して自立可能である。この場合、展開後のスクリーンを吊す機構が不要となり、より利便性が高まる。
【００２１】
また、本発明の別の具体的態様では、本体基材が、少なくとも周囲部分が伸縮可能な材料で形成されており、平坦化手段が、本体基材の外周のうち対向する一対の縁部分を含む複数箇所からそれぞれ延びる複数の連結部と、当該複数の連結部の先端側にそれぞれ取り付けられるとともに設置環境に固定された設置物に係止可能な複数の係止手段とを備える。
【００２２】
上記スクリーンでは、当該複数の連結部の先端側にそれぞれ取り付けられたフック状の複数の係止手段が、設置環境に固定された設置物に係止可能であるので、使用時には、係止手段を利用して本体基材を伸張しつつ展開し平坦化できるので、本体基材に支持された平坦性を有する反射手段に所望の画像を投射することができる。
【発明を実施するための最良の形態】
【００２３】
〔第１実施形態〕
図１は、本発明の第１実施形態に係るスクリーンの外観を示す正面図であり、スクリーンの展開状態に対応している。
【００２４】
図からも明らかなように、本実施形態のスクリーン１０は、横に長い長方形の輪郭を有するシートである。スクリーン１０の上端部には、スクリーン１０を壁その他の固定設置物に掛けるため、かかる固定設置物に適宜設けたフックや水平バー（不図示）に係止されるべき取付け具２０が適当な間隔で複数形成されている。なお、これらの取付け具２０は、長さを調節することができるようになっている。
【００２５】
図２（ａ）は、図１のスクリーンの構造を概念的に説明する断面図であり、図２（ｂ）は、図１のスクリーンの構造を説明する拡大透視図である。図２（ａ）に示すように、スクリーン１０は、可撓性を有し折畳可能である本体基材１１と、本体基材１１の表側、すなわち一方の主面１１ａ上に形成された反射層１２とを備える。
【００２６】
本体基材１１は、例えば合成樹脂、ガラスクロス等からなるシートであり、形状保持性を有する２次元組織状の平坦化部材１１ｃを内部に埋め込んだ構造を有する。この平坦化部材１１ｃは、平坦化手段として、本体基材１１の折畳時に、本体基材１１とともに折り畳まれ、本体基材１１の展開時に、本体基材１１をしわなく平坦化することができる。この平坦化部材１１ｃは、例えば図２（ｂ）に示すように、形状記憶合金を細い薄板に加工した線状体１１ｄを格子の編み目状に組み上げたものとすることができる。線状体１１ｄは、比較的弱い力で簡単に折り曲げることができ、その形状が保持されるが、温度を一定値に上昇させるなどの所定条件下で記憶された元の合形状に戻る性質を有する。
【００２７】
反射層１２は、入射した画像光を所定のランダム性を有する反射特性で反射する反射手段であり、ビーズ系スクリーンの反射面となっている。つまり、反射層１２は、詳細な説明は省略するが、本体基材１１側のホワイトシートを下地とし、このホワイトシート上に微細なガラスビーズを無数に埋め込んだ構造を有する。
【００２８】
図３は、図１のスクリーン１０を携帯用に折りたたんだ状態を示す。図示の場合、スクリーン１０は、３回折り畳まれて１／８の面積になっているが、これ以上の折り畳みが可能であることはいうまでもない。
【００２９】
スクリーン１０を使用する場合、折り畳んだスクリーン１０を展開し広げる。展開したスクリーン１０は、図１の取付け具２０を利用して壁等に掛けることができる。この際、スクリーン１０の折畳時に形成された折り目１０ａに相当する山や谷が残る可能性がある。このような折り目１０ａは、画像の歪みとして観察され好ましくないので、スクリーン１０の折り目１０ａ及びその周辺にドライヤ等で熱を与える。この結果、スクリーン１０本体基材１１に格子状に埋め込まれた線状体１１ｄが加熱され元の形状に復帰するので、スクリーン１０が全体的にむらなく平坦化される。このようなスクリーン１０に画像を投影すれば、局所的歪みのない美しい画像が全面に形成される。
【００３０】
以上の第１実施形態において、平坦化部材１１ｃは、形状記憶合金の線状体１１ｄを編み目状に組んだものに限らず、所定以上の圧縮力によって元の形状に復帰可能に畳むことができる超剛性金属を編み目状に組んだものとすることができ、さらに、これら形状記憶合金や超剛性金属を様々な形状に加工して本体基材１１に様々なパターンで織り込んだものとすることができる。また、平坦化部材１１ｃは、本体基材１１中に埋め込む必要はなく、本体基材１１の裏面に貼り付けることもできる。
【００３１】
また、形状記憶合金の線状体１１ｄは、外部から熱を与える場合に限らず、それに自体に適当なタイミングで通電して加熱することによって、元の形状に復元させることもできる。この場合、線状体１１ｄへの電力の供給を調節する電源、スイッチ等が必要になる。
【００３２】
また、本体基材１１から平坦化部材１１ｃを省略することも可能である。この場合、本体基材１１の素材等の選定によって、本体基材１１に熱や光による形状復元性を持たせる必要がある。
【００３３】
また、反射層１２は、ビーズ系スクリーンの反射面に限らず、マット系スクリーン等の反射面とすることができる。
【００３４】
〔第２実施形態〕
図４は、第２実施形態に係るスクリーンの外観を示す正面図であり、スクリーンの展開状態に対応している。図からも明らかなように、本実施形態のスクリーン１１０は、自立型の装置となっており、スクリーン本体１３０と、枠状支持体１４０とを備える。
【００３５】
スクリーン本体１３０は、第１実施形態のスクリーン１０と同様のものとすることができるが、図２（ａ）に示すような本体基材１１中の平坦化部材１１ｃは不可欠のものではない。また、図１に示すような取付け具２０は不要である。
【００３６】
枠状支持体１４０は、垂直に延びる一対のロールピラー部１４１，１４１と、水平に延びる台座部１４３とを備える。一対のロールピラー部１４１，１４１は、ともにエアチューブからなり、スクリーン本体１３０の展開時に、スクリーン本体１３０を周囲から引っ張ってしわを伸ばす役割を有する。台座部１４３も、エアチューブからなり、スクリーン本体１３０の展開時に、ロールピラー部１４１，１４１と協働してスクリーン本体１３０を周囲から引っ張ってしわを伸ばす役割を有する。
【００３７】
一対のロールピラー部１４１，１４１と、台座部１４３とは、気密に連結されており、台座部１４３の正面中央に形成された接続部１４４とこの接続部１４４から延びるパイプ１４５とを介して給気装置１５０に連結されている。給気装置１５０は、温度調節された所定圧力の空気（例えば加圧温風）を、パイプ１４５及び接続部１４４を介して台座部１４３及びロールピラー部１４１，１４１中に供給する。台座部１４３やロールピラー部１４１，１４１は、空気圧等によって直線状に延び、図示の姿勢を維持しようとする。なお、ロールピラー部１４１，１４１の側面には、スクリーン本体１３０に近接して多数の開口１４１ａが等間隔で形成されている。これらの開口１４１ａからは、スクリーン本体１３０の表面に沿って温風が噴出し、スクリーン本体１３０を徐々に暖めることができる。これにより、スクリーン本体１３０中に平坦化部材１１ｃが埋め込まれている場合（図２参照）は、平坦化部材１１ｃを暖めて本体基材１１延いてはスクリーン本体１３０を折り目のない平坦なものとすることができる。また、スクリーン本体１３０中に平坦化部材１１ｃが埋め込まれていない場合においても、本体基材１１を暖めて軟化することができ、ロールピラー部１４１，１４１等によって周囲から引っ張られているスクリーン本体１３０を折り目のない平坦なものとすることができる。なお、給気装置１５０からロールピラー部１４１，１４１等に供給する空気の温度は経時的に変化させることができ、例えばスクリーン本体１３０の折り目が十分に消えた段階で温風から室温風に切替えることもできる。
【００３８】
図５（ａ）は、ロールピラー部１４１の裏面を示す図であり、図５（ｂ）は、台座部１４３の裏面を示す図である。図５（ａ）に示すように、ロールピラー部１４１の裏面には、帯状の超剛性金属で形成したゼンマイバネ部材１４１ｃが埋め込まれている。このゼンマイバネ部材１４１ｃは、通常渦巻き状に巻き上げられているが、比較的弱い力で簡単に伸ばすことができる。つまり、ロールピラー部１４１，１４１中に空気を供給することにより、ゼンマイバネ部材１４１ｃの巻き込む力に抗してロールピラー部１４１，１４１を直線状に伸ばすことができる。
【００３９】
図６は、ロールピラー部１４１，１４１を伸張する工程を具体的に説明する図である。ロールピラー部１４１，１４１は、所謂「吹き戻し（巻き笛）」のような構造を有しており、台座部１４３に設けた接続部１４４からエアチューブ中に適宜給気すると、台座部１４３やロールピラー部１４１，１４１中に加圧空気が満たされ、ロールピラー部１４１，１４１が根元側から徐々に直線状に延びる。一方、加圧空気の供給を中止すると、ゼンマイバネ部材１４１ｃの巻上力が優勢となってロールピラー部１４１，１４１が端部側から徐々に巻き上げられる。
【００４０】
図５（ｂ）に戻って、伸張部材である台座部１４３の裏面には、帯状の超剛性金属で形成した板バネ部材１４３ｃが埋め込まれている。この板バネ部材１４３ｃは、通常直線状に延びるが、一定の力を付与することで簡単に曲げることができる。つまり、台座部１４３への給気を停止することにより、板バネ部材１４３ｃの伸張する力に抗して台座部１４３を渦巻き状に巻き上げることができる。
【００４１】
図７及び図８は、スクリーン１１０の折り畳みを説明する図である。図７に示すように、給気装置１５０から台座部１４３等への給気を停止することにより、ロールピラー部１４１，１４１が先端側から自動的に巻き上げられ、これに伴って、スクリーン本体１３０も巻き上げられる。次に、一方のロールピラー部１４１から他方のロールピラー部１４１に向けてスクリーン１１０を長手方向に巻き上げることにより、スクリーン１１０を小さく折り畳むことができる（図８参照）。このように小さく折り畳んだスクリーン１１０は、適当なキャリングケース中に収納することができる。なお、図８に示すスクリーン１１０を放置すると、台座部１４３に設けた板バネ部材１４３ｃが伸張して、自動的に図７の状態に戻るようになっている。
【００４２】
以上の第２実施形態において、給気装置１５０は、スクリーン１１０に画像を投射すべきプロジェクタ等に置き換えることができる。すなわち、プロジェクタ等に内蔵された冷却装置の排気ガスをそのまま利用することができ、かかる冷却装置の排気部に接続部１４４を直接若しくは間接に接続することができる。
【００４３】
また、ロールピラー部１４１，１４１に開口１４１ａを設けない構成も可能である。この場合、ロールピラー部１４１，１４１からの空気漏れが生じないので、接続部１４４に給気装置１５０を常時接続する必要がなくなり、ユーザが接続部１４４をくわえて息を吹き込んで膨らませ、枠状支持体１４０の起立後に接続部１４４に栓をすることも可能である。
【００４４】
また、スクリーン１１０の上部において両ロールピラー部１４１，１４１の上端を連結するエアチューブを設けることもできる。この場合、スクリーン１１０上部の平坦性を簡易に確保することができる。
【００４５】
〔第３実施形態〕
図９は、第３実施形態に係るスクリーンの外観を示す正面図であり、スクリーンの展開状態に対応している。第３実施形態のスクリーンは、第２実施形態のスクリーンを変形したものである。
【００４６】
図からも明らかなように、本実施形態のスクリーン２１０は、スクリーン本体１３０と、枠状支持体２４０とを備える。なお、枠状支持体２４０の上端部には、スクリーン２１０を壁等に掛けるための一対の取付け具２２０が形成されている。
【００４７】
枠状支持体２４０は、環状の超剛性金属等からなるワイヤ状の金属部材であり、スクリーン本体１３０の展開時に、スクリーン本体１３０を周囲から引っ張ってしわを伸ばす役割を有する。この枠状支持体２４０は、一定の力を付与することにより、例えば３重に重ねて小型化することができ、その状態で準安定的に保持される（図１０参照）。このように、枠状支持体２４０を小型化することにより、枠状支持体２４０の中央にスクリーン本体１３０が小さく畳まれた状態で収納される。逆に、３重に重ねられた枠状支持体２４０に一定の力を付与することにより、枠状支持体２４０が図９に示すような環状に戻って安定に保たれ、スクリーン本体１３０を周囲から引っ張って平坦化することができる。
【００４８】
〔第４実施形態〕
図１１は、第４実施形態に係るスクリーンの外観を示す正面図であり、スクリーンの展開状態に対応している。第４実施形態のスクリーンも、第２実施形態のスクリーンを変形したものである。
【００４９】
図からも明らかなように、本実施形態のスクリーン３１０は、スクリーン本体３３０と、四隅の連結部３６１と、各連結部３６１から延びる係止手段である取付け具３２０とを備える。スクリーン３１０は、中央部分に投射領域３１０ａを有し、この投射領域３１０ａの表面は、例えば微小なビーズを埋め込んだ反射層となっている。
【００５０】
スクリーン本体３３０は、ゴム等の伸縮可能な材料で形成されているが、周囲から引っ張られて延びた展開状態でも、投射領域３１０ａには十分な密度のビーズが埋め込まれており、スクリーンとしての機能は損なわれない。
【００５１】
取付け具３２０は、壁その他の固定設置物に設けた突起、フック等の各種取付部に係止される。この際、スクリーン本体３３０が一定の張力で縮もうとする力に抗して４つの取付け具３２０を引っ張りつつ固定設置物の取付部に係止することで、スクリーン本体３３０を４隅から引っ張りつつ固定することができ、スクリーン本体３３０を平坦な状態に保つことができる。
【００５２】
取付け具３２０を固定設置物の取付部から外すと、スクリーン本体３３０は元のように縮み、さらに縮んだスクリーン本体３３０を折りたたむことで携帯可能に小型化することができる。
【００５３】
なお、スクリーン３１０のうち周囲のみをゴムで形成し、投射領域３１０ａは、図４に示すスクリーン本体１３０等と同様のもので形成することもできる。
【図面の簡単な説明】
【００５４】
【図１】第１実施形態に係るスクリーンの外観を示す正面図である。
【図２】（ａ）は、スクリーンの構造を概念的に説明する断面図であり、（ｂ）は、スクリーンの構造を説明する拡大透視図である。
【図３】図１のスクリーンを携帯用に折りたたんだ状態を示す。
【図４】第２実施形態に係るスクリーンの外観を示す図である。
【図５】（ａ）は、ロールピラー部の裏面を示す図であり、５（ｂ）は、台座部の裏面を示す図である。
【図６】ロールピラー部を伸張する工程を具体的に説明する図である。
【図７】スクリーンの折り畳み（第１段階）を説明する図である。
【図８】スクリーンの折り畳み（第２段階）を説明する図である。
【図９】第３実施形態に係るスクリーンの外観を示す図である。
【図１０】図９のスクリーン本体を携帯用に折り畳んだ状態を説明する図である。
【図１１】第４実施形態に係るスクリーンの外観を示す図である。
【符号の説明】
【００５５】
１０…スクリーン、  １１…本体基材、  １１ａ…主面、  １１ｃ…平坦化部材、  １２…反射層
【図１】
2006053289.tif 000003
【図２】
2006053289.tif 000004
【図３】
2006053289.tif 000005
【図４】
2006053289.tif 000006
【図５】
2006053289.tif 000007
【図６】
2006053289.tif 000008
【図７】
2006053289.tif 000009
【図８】
2006053289.tif 000010
【図９】
2006053289.tif 000011
【図１０】
2006053289.tif 000012
【図１１】
2006053289.tif 000013